(57)【要約】本明細書の実施形態は、例えば、第２の無線通信ネットワークにおける無線デバイス（10）のための通信に対処するための、当該無線デバイスによって実行される方法を開示する。第２の無線通信ネットワークは、同じ周波数帯域幅で第１の無線通信ネットワークと共存しており、第１の無線通信ネットワークは、第１の周波数シフトを上りリンク送信において適用する。無線デバイスは、第２の無線通信ネットワークが周波数分割複信（ＦＤＤ）を使用する場合に、上りリンク送信への第２の周波数シフトの適用を示すインジケーションを、無線ネットワークノード（12,13）から受信する。無線デバイスは更に、第２の周波数シフトを上りリンク送信に適用し、当該第２の周波数シフトは、第２の無線通信ネットワークのサブキャリアグリッドに関連したサブキャリアへの周波数シフト、又は、第２の無線通信ネットワークのサブキャリアグリッドへの周波数シフトを定める。
2020516144.tif 000002
【特許請求の範囲】
【請求項１】
第２の無線通信ネットワークにおける無線デバイスのための通信を処理するための、当該無線デバイスによって実行される方法であって、前記第２の無線通信ネットワークは、同じ周波数帯域幅で第１の無線通信ネットワークと共存しており、前記第１の無線通信ネットワークは、第１の周波数シフトを上りリンク送信において適用し、前記方法は、
前記第２の無線通信ネットワークが周波数分割複信（ＦＤＤ）を使用する場合に、上りリンク送信への第２の周波数シフトの適用を示すインジケーションを、無線ネットワークノード（12,13）から受信すること（501）と、
前記第２の周波数シフトを上りリンク送信に適用すること（502）と、を含み、前記第２の周波数シフトは、前記第２の無線通信ネットワークのサブキャリアグリッドに関連したサブキャリアへの周波数シフト、又は、前記第２の無線通信ネットワークの前記サブキャリアグリッドへの周波数シフトを定める、方法。
【請求項２】
請求項１に記載の方法であって、前記第２の周波数シフトを上りリンク送信に適用すること（502）は、前記第２の無線通信ネットワークが時分割複信（ＴＤＤ）を使用する場合に省略される、方法。
【請求項３】
請求項１又は２に記載の方法であって、前記第２の周波数シフトは、前記第１の無線通信ネットワークによって使用される前記第１の周波数シフトに対応している、方法。
【請求項４】
請求項１又は２に記載の方法であって、前記インジケーションは、上りリンク送信への前記第２の周波数シフトの適用を省略することを示す、方法。
【請求項５】
第２の無線通信ネットワークにおける無線デバイス（10）のための通信を可能にするための、無線ネットワークノード（13）によって実行される方法であって、前記第２の無線通信ネットワークは、同じ周波数帯域幅で第１の無線通信ネットワークと共存しており、前記第１の無線通信ネットワークは、第１の周波数シフトを上りリンク送信に適用し、前記方法は、
前記第２の無線通信ネットワークが周波数分割複信（ＦＤＤ）を使用する場合に、上りリンク送信への第２の周波数シフトの適用を示すインジケーションを、前記無線デバイス（10）へ送信すること（513）と、前記第２の周波数シフトは、前記第２の無線通信ネットワークのサブキャリアグリッドに関連したサブキャリアへの周波数シフト、又は、前記第２の無線通信ネットワークの前記サブキャリアグリッドへの周波数シフトを定める、方法。
【請求項６】
請求項５に記載の方法であって、前記インジケーションは、上りリンク送信への前記第２の周波数シフトの適用を省略することを示す、方法。
【請求項７】
請求項５に記載の方法であって、前記第２の周波数シフトは、前記第１の無線通信ネットワークによって使用される前記第１の周波数シフトに対応している、方法。
【請求項８】
請求項５から７のいずれか１項に記載の方法であって、更に、
前記第２の無線通信ネットワークが周波数分割複信（ＦＤＤ）を使用しているか時分割複信（ＴＤＤ）を使用しているかを判定すること（511）を含む、方法。
【請求項９】
請求項８に記載の方法であって、ＦＤＤが使用されていると判定された場合には前記インジケーションが送信され、ＴＤＤが使用されていると判定された場合にはインジケーションが送信されない、方法。
【請求項１０】
請求項５から９のいずれか１項に記載の方法であって、更に、
前記第２の周波数シフトを判定すること（512）を含む、方法。
【請求項１１】
請求項１０に記載の方法であって、前記第２の周波数シフトは、前記第１の無線通信ネットワーク用の前記サブキャリアグリッドと前記第２の無線通信ネットワーク用の前記サブキャリアグリッドとをアラインさせるように決定されるか、又は、前記第２の無線通信ネットワークのサブキャリアと前記第１の無線通信ネットワークのサブキャリアとをアラインさせるように決定される、方法。
【請求項１２】
第２の無線通信ネットワークにおける無線デバイスのための通信を処理するための当該無線デバイス（10）であって、前記第２の無線通信ネットワークは、同じ周波数帯域幅で第１の無線通信ネットワークと共存するように構成されており、前記第１の無線通信ネットワークは、第１の周波数シフトを上りリンク送信に適用するように構成され、前記無線デバイス（10）は、
前記第２の無線通信ネットワークが周波数分割複信（ＦＤＤ）を使用する場合に、上りリンク送信への第２の周波数シフトの適用を示すインジケーションを、無線ネットワークノード（12,13）から受信することと、
前記第２の周波数シフトを上りリンク送信に適用することと、を行うように構成され、前記第２の周波数シフトは、前記第２の無線通信ネットワークのサブキャリアグリッドに関連したサブキャリアへの周波数シフト、又は、前記第２の無線通信ネットワークの前記サブキャリアグリッドへの周波数シフトを定める、無線デバイス。
【請求項１３】
請求項１２に記載の無線デバイス（10）であって、前記無線デバイスは、前記第２の無線通信ネットワークが時分割複信（ＴＤＤ）を使用する場合に、前記第２の周波数シフトを上りリンク送信に適用することを省略するように構成される、無線デバイス。
【請求項１４】
請求項１２又は１３に記載の無線デバイス（10）であって、前記第２の周波数シフトは、前記第１の無線通信ネットワークによって使用される前記第１の周波数シフトに対応している、無線デバイス。
【請求項１５】
請求項１２又は１３に記載の無線デバイス（10）であって、前記インジケーションは、上りリンク送信への前記第２の周波数シフトの適用を省略することを示す、無線デバイス。
【請求項１６】
第２の無線通信ネットワークにおける無線デバイス（10）のための通信を可能にするための無線ネットワークノード（13）であって、前記第２の無線通信ネットワークは、同じ周波数帯域幅で第１の無線通信ネットワークと共存するように構成されており、前記第１の無線通信ネットワークは、第１の周波数シフトを上りリンク送信において適用するように構成され、前記無線ネットワークノードは、
前記第２の無線通信ネットワークが周波数分割複信（ＦＤＤ）を使用する場合に、上りリンク送信への第２の周波数シフトの適用を示すインジケーションを、前記無線デバイス（10）へ送信するように構成され、前記第２の周波数シフトは、前記第２の無線通信ネットワークのサブキャリアグリッドに関連したサブキャリアへの周波数シフト、又は、前記第２の無線通信ネットワークの前記サブキャリアグリッドへの周波数シフトを定める、無線ネットワークノード。
【請求項１７】
請求項１６に記載の無線ネットワークノード（13）であって、前記インジケーションは、上りリンク送信への前記第２の周波数シフトの適用を省略することを示す、無線ネットワークノード。
【請求項１８】
請求項１６に記載の無線ネットワークノード（13）であって、前記第２の周波数シフトは、前記第１の無線通信ネットワークによって使用される前記第１の周波数シフトに対応している、無線ネットワークノード。
【請求項１９】
請求項１６から１８のいずれか１項に記載の無線ネットワークノード（13）であって、前記無線ネットワークノード（13）は更に、前記第２の無線通信ネットワークが周波数分割複信（ＦＤＤ）を使用しているか時分割複信（ＴＤＤ）を使用しているかを判定するように構成される、無線ネットワークノード。
【請求項２０】
請求項１９に記載の無線ネットワークノード（13）であって、前記無線ネットワークノード（13）は、ＦＤＤが使用される場合に前記インジケーションを送信し、ＴＤＤが使用される場合にインジケーションを送信しないように構成される、無線ネットワークノード。
【請求項２１】
請求項１６から２０のいずれか１項に記載の無線ネットワークノード（13）であって、前記無線ネットワークノードは前記第２の周波数シフトを判定するように構成される、無線ネットワークノード。
【請求項２２】
請求項２１に記載の無線ネットワークノード（13）であって、前記第２の周波数シフトは、前記第１の無線通信ネットワーク用の前記サブキャリアグリッドと前記第２の無線通信ネットワーク用の前記サブキャリアグリッドとをアラインさせるように決定されるか、又は、前記第２の無線通信ネットワークのサブキャリアと前記第１の無線通信ネットワークのサブキャリアとをアラインさせるように決定される、無線ネットワークノード。
【請求項２３】
命令を含むコンピュータプログラムであって、当該命令は、少なくとも１つのプロセッサで実行されると、当該少なくとも１つのプロセッサに、前記無線デバイス又は前記無線ネットワークノードによって実行される請求項１から１１のいずれか１項に記載の方法を実行させる、コンピュータプログラム。
【請求項２４】
命令を含むコンピュータプログラムが格納された、コンピュータで読み取り可能な記憶媒体であって、当該命令は、少なくとも１つのプロセッサで実行されると、当該少なくとも１つのプロセッサに、前記無線デバイス又は前記無線ネットワークノードによって実行される請求項１から１１のいずれか１項に記載の方法を実行させる、記憶媒体。
【発明の詳細な説明】
【技術分野】
【０００１】
本明細書の実施形態は、無線ネットワークノード、無線デバイス、及び無線通信に関してそれらで実行される方法に関する。更に、本明細書では、コンピュータプログラム及びコンピュータ読み取り可能媒体も提供される。特に、本明細書の実施形態は、無線通信ネットワークにおける無線デバイスの通信を処理することに関する。
【背景技術】
【０００２】
典型的な無線通信ネットワークにおいて、無線デバイスは、無線通信デバイス、移動局、ステーション（ＳＴＡ）及び／又はユーザ装置（ＵＥ）としても知られており、無線アクセスネットワーク（ＲＡＮ）を介して１つ以上のコアネットワーク（ＣＮ）と通信する。ＲＡＮは、サービスエリア又はセルエリアに分割された地理的エリアをカバーし、各サービスエリア又はセルエリアは、いくつかのネットワークにおいては例えば「ＮｏｄｅＢ」又は「ｅＮｏｄｅＢ」とも称されうる、アクセスノード（例えば、Ｗｉ−Ｆｉアクセスポイント又は無線基地局（ＲＢＳ））のような無線ネットワークノードによってサービスされる。サービスエリア又はセルエリアは、無線ネットワークノードによって無線カバレッジが提供される地理的エリアである。無線ネットワークノードは、無線インタフェースを介して無線ネットワークノードの範囲内の無線デバイスと通信するために無線周波数で動作する。無線ネットワークノードは、下りリンク（ＤＬ）を介して無線デバイスと通信し、無線デバイスは、上りリンク（ＵＬ）を介して無線ネットワークノードと通信する。
【０００３】
ユニバーサル移動体通信システム（ＵＭＴＳ）は、第２世代（２Ｇ）のモバイル通信用グローバルシステム（ＧＳＭ）から進化した第３世代の通信ネットワークである。ＵＭＴＳ地上無線アクセスネットワーク（ＵＴＲＡＮ）は、基本的に、ユーザ装置との通信に広帯域符号分割多元接続（ＷＣＤＭＡ）及び／又は高速パケットアクセス（ＨＳＰＡ）を使用するＲＡＮである。第３世代パートナシップ（３ＧＰＰ）として知られるフォーラムでは、通信サプライヤが現在及び将来の世代のネットワークの標準規格を提案及び合意し、データレート及び無線容量の向上について調査している。いくつかのＲＡＮでは、例えばＵＭＴＳのように、いくつかの無線ネットワークノードが、例えば地上回線又はマイクロ波によって、無線ネットワークコントローラ（ＲＮＣ）又は基地局コントローラ（ＢＳＣ）等のコントローラノードに接続でき、コントローラノードは、それに接続された複数の無線ネットワークノードの様々なアクティビティを管理及び調整する。ＲＮＣは、典型的には１つ以上のコアネットワークに接続される。
【０００４】
Evolved Packet System（ＥＰＳ）の仕様が３ＧＰＰ内で完成されており、この作業は４Ｇネットワーク及び５Ｇネットワーク（例えば、New Radio（ＮＲ））等の今後の３ＧＰＰリリースでも継続される。ＥＰＳは、ロングタームエボリューション（ＬＴＥ）無線アクセスネットワークとも称される、Evolved Universal Terrestrial Radio Access Network（Ｅ−ＵＴＲＡＮ）と、システムアーキテクチャエボリューション（ＳＡＥ）コアネットワークとも称されるEvolved Packet Core（ＥＰＣ）とを含む。Ｅ−ＵＴＲＡＮ／ＬＴＥは、無線ネットワークノードがＥＰＣコアネットワークに直接接続される３ＧＰＰP無線アクセス技術である。そのため、ＥＰＳの無線アクセスネットワーク（ＲＡＮ）は、１つ以上のコアネットワークに直接接続された複数の無線ネットワークノードを含む、基本的に「フラットな」アーキテクチャを有している。
【０００５】
ＬＴＥの上りリンク（ＵＬ）は、離散フーリエ変換拡散直交周波数分割多重（ＤＦＴＳ−ＯＦＤＭ）に基づいている。ＤＦＴＳ−ＯＦＤＭの波形は、ＯＦＤＭの波形よりも低いピーク対平均電力比（ＰＡＰＲ）を有しており、電力増幅器の所要電力バックオフを減らし、かつ、電力増幅器の効率を高めるために、ＬＴＥに採用されている。
【０００６】
（無線デバイスに最も一般的に使用される）ダイレクトコンバージョン受信機では、局部発振器の自己混合、干渉の自己混合、及び信号パスのトランジスタ不整合による直流電流（ＤＣ）は、局部発振器周波数の不要な高い信号成分をもたらし、これはベースバンドのＤＣに変換される。ＬＴＥの下りリンク（ＤＬ）では、（ＤＣサブキャリアとも称される）ＤＣとオーバラップする空のサブキャリアが、その低変調品質に起因した当該サブキャリアの変調を回避するために導入されている。ただし、上りリンクの場合、ＤＦＴＳ−ＯＦＤＭ波形の低ＰＡＰＲを損なうため、このソリューションは適用できない。その代わりに、ＬＴＥの上りリンクでは、２つのサブキャリア間にＤＣを配置する、１／２サブキャリアシフト（７．５ｋＨｚ）を適用する。
【０００７】
ＮＲの上りリンクは、ＯＦＤＭとＤＦＴＳ−ＯＦＤＭの両方をサポートする。ＤＦＴＳ−ＯＦＤＭは、ＯＦＤＭ波形と比較してＰＡＰＲが低いことに起因して、カバレッジが制限された無線デバイスをサポートするために導入され、シングルレイヤ伝送に制限されるが、より良好な信号対干渉及び雑音比（ＳＩＮＲ）条件においては、マルチレイヤ伝送もサポートするＯＦＤＭが使用される。
【０００８】
ＮＲで考慮されるシナリオの１つは、同じ周波数帯域幅で（例えば、ＮＲ及びＬＴＥシステムのシステム帯域幅のオーバラップ部分で）ＮＲとＬＴＥとの共存を有効にすること、又はシステム帯域幅の少なくとも１つの同じ周波数帯域で共存することである。１５ｋＨｚのヌメロロジーを使用するＮＲと、ＬＴＥとが、同じサブキャリアグリッドを共有する場合、ＮＲ及びＬＴＥを同じ周波数で展開でき、必要な全てのシグナリングが配置されていれば、未使用のＬＴＥリソースエレメントをＮＲに使用できる。ＵＬでは（ＬＴＥはシフトを適用し、ＮＲはシフトを適用しないため）７．５ｋＨｚの差があることで、これは不可能であり、ＮＲとＬＴＥは時間又は周波数で分離される必要があるであろう。ＮＲとＬＴＥはそれでも同じ周波数で同時に同じキャリア帯域幅を共有できるが２つの無線アクセス技術（ＲＡＴ）間にガードバンドが必要となるか、又は、ＮＲ及びＬＴＥの伝送は時間領域において多重化されるが、このソリューションはリソース効率が良くない。
【発明の概要】
【０００９】
本明細書における実施形態の目的は、リソース効率の良い方法での通信を可能にするための又はリソース効率の良い方法での通信を処理するための、第２の無線通信ネットワークにおいて実装される仕組みを提供することである。例えば、第２の無線通信ネットワークは、第１の無線通信ネットワークと共存して効率的な方法で展開されうる。
【００１０】
ある態様によれば、上記目的は、第２の無線通信ネットワークにおける無線デバイスのための通信を処理するための、無線デバイスによって実行される方法を提供することによって達成される。第２の無線通信ネットワークは、同じ周波数帯域幅で第１の無線通信ネットワークと共存しており、第１の無線通信ネットワークは、第１の周波数シフトを上りリンク送信において適用する。無線デバイスは、第２の無線通信ネットワークが周波数分割複信（ＦＤＤ）を使用する場合に、上りリンク送信への第２の周波数シフトの適用を示すインジケーションを、無線ネットワークノードから受信する。無線デバイスは更に、第２の周波数シフトを上りリンク送信に適用し、当該第２の周波数シフトは、第２の無線通信ネットワークのサブキャリアグリッドに関連したサブキャリアへの周波数シフト、又は、第２の無線通信ネットワークのサブキャリアグリッドへの周波数シフトを定める。当該サブキャリアグリッドは、いくつかの例では、第２の無線通信ネットワークの上りリンクのサブキャリアグリッドでありうる。
【００１１】
他の態様によれば、上記目的は、第２の無線通信ネットワークにおける無線デバイスのための通信を可能にするための、無線ネットワークノードによって実行される方法を提供することによって達成される。第２の無線通信ネットワークは、同じ周波数帯域幅で第１の無線通信ネットワークと共存しており、第１の無線通信ネットワークは、第１の周波数シフトを上りリンク送信に適用する。無線ネットワークノードは、第２の無線通信ネットワークがＦＤＤを使用する場合に、上りリンク送信への第２の周波数のシフトの適用を示すインジケーションを、無線デバイスへ送信し、第２の周波数シフトは、第２の無線通信ネットワークのサブキャリアグリッドに関連したサブキャリアへの周波数シフト、又は、第２の無線通信ネットワークのサブキャリアグリッドへの周波数シフトを定める。当該サブキャリアグリッドは、いくつかの例では、第２の無線通信ネットワークの上りリンクのサブキャリアグリッドでありうる。
【００１２】
本明細書では、命令を含むコンピュータプログラムであって、当該命令は、少なくとも１つのプロセッサで実行されると、当該少なくとも１つのプロセッサに、無線デバイス又は無線ネットワークノードによって実行される本明細書の方法を実行させる、コンピュータプログラムも提供される。更に本明細書では、命令を含むコンピュータプログラムが格納された、コンピュータで読み取り可能な記憶媒体であって、当該命令は、少なくとも１つのプロセッサで実行されると、当該少なくとも１つのプロセッサに、無線デバイス又は無線ネットワークノードによって実行される本明細書の方法を実行させる、記憶媒体が提供される。
【００１３】
更に他の態様によれば、上記目的は、第２の無線通信ネットワークにおける無線デバイスのための通信を処理するための当該無線デバイスを提供することによって達成される。第２の無線通信ネットワークは、同じ周波数帯域幅で第１の無線通信ネットワークと共存するように構成されており、第１の無線通信ネットワークは、第１の周波数シフトを上りリンク送信に適用するように構成される。無線デバイスは、第２の無線通信ネットワークがＦＤＤを使用する場合に、上りリンク送信への第２の周波数シフトの適用を示すインジケーションを、無線ネットワークノードから受信するように構成される。無線デバイスは更に、第２の周波数シフトを上りリンク送信に適用するように構成され、当該第２の周波数シフトは、第２の無線通信ネットワークのサブキャリアグリッドに関連したサブキャリアへの周波数シフト、又は、第２の無線通信ネットワークのサブキャリアグリッドへの周波数シフトを定める。当該サブキャリアグリッドは、いくつかの例では、第２の無線通信ネットワークの上りリンクのサブキャリアグリッドでありうる。
【００１４】
更に他の態様によれば、上記目的は、第２の無線通信ネットワークにおける無線デバイスのための通信を可能にするための無線ネットワークノードを提供することによって達成され、第２の無線通信ネットワークは、同じ周波数帯域幅で第１の無線通信ネットワークと共存するように構成されている。第１の無線通信ネットワークは、第１の周波数シフトを上りリンク送信に適用するように構成される。無線ネットワークノードは、第２の無線通信ネットワークがＦＤＤを使用する場合に、上りリンク送信への第２の周波数のシフトの適用を示すインジケーションを、無線デバイスへ送信するように構成され、第２の周波数シフトは、第２の無線通信ネットワークのサブキャリアグリッドに関連したサブキャリアへの周波数シフト、又は、第２の無線通信ネットワークのサブキャリアグリッドへの周波数シフトを定める。当該サブキャリアグリッドは、いくつかの例では、第２の無線通信ネットワークの上りリンクのサブキャリアグリッドでありうる。
【００１５】
ＦＤＤでは、上りリンクと下りリンクとが独自のスペクトルを有する（即ち、ＵＬとＬＤとで送信が異なる周波数で実行される）ため、クロスリンク干渉は問題にならない。したがって、異なる無線通信ネットワークのサブキャリア又はサブキャリアグリッドがアラインされるように、ＵＬ送信をシフトすることを提案する。このシフトは、ベースバンドで行われてもよいし（この場合、ＤＣ周波数の低変調品質がいくつかのサブキャリアに広がるため、あまり好ましくない）、又は、ＮＲ下りリンクと上りリンクとの間のデュプレックス距離を、動作帯域で使用されるＬＴＥデュプレックス距離に対して例えば１／２サブキャリア（７．５ｋＨｚ等）だけ調整することによって行われてもよい。
【００１６】
本明細書の実施形態は、特にＦＤＤの場合にはデュプレックス距離を調整することで上りリンクリンクシフトが達成されれば、ＵＬ性能に影響を与えることなく、同じ周波数帯域幅で（これは、いくつかの例では同じキャリア帯域幅でありうる）、１５ｋＨｚ幅のサブキャリアを使用するＮＲ等の第２の無線通信ネットワークと、ＬＴＥ等の第１の無線通信ネットワークとの間の、リソースエレメント単位の共存を可能にする。このため、本明細書の実施形態は、リソース効率の良いソリューションを提供する。
【００１７】
ＴＤＤの場合には、例えば、困難なクロスリンク干渉のキャンセルや、ＤＣサブキャリアの低い変調品質がいくつかのトーンに広がるといった、１／２サブキャリアシフトのいくつかの欠点がある。このため、ＴＤＤの場合には、ＵＬシフトにより、クロスリンク干渉のキャンセルが複雑になり、ＤＣ周波数の低い変調品質が複数のサブキャリアに広がるか、又は、２つの局部発振器の使用が必要になり、いずれも深刻な欠点になる。したがって、本明細書のいくつかの実施形態は、下りリンクに関連して上りリンク送信の周波数をシフトしないことを提案し、これは、このような実施形態では、下りリンクと上りリンクとが同じキャリア周波数を共有すること、及び第２のシフトもベースバンドで実装されないことを意味する。言い換えると、本明細書のいくつかの実施形態は、ＮＲ及びＬＴＥ等の異なるネットワークのＵＬ共存がガードバンド又は時間領域の多重化により達成されるというコストでＴＤＤを使用する場合、第２のシフトの適用を省略することによって、これらの欠点を回避する。
【００１８】
本明細書の実施形態は、第２の無線通信ネットワークが、効率的な方法で第１の無線通信ネットワークと共存して展開されうることを示す。
【図面の簡単な説明】
【００１９】
ここで、以下の添付図面に関連して実施形態についてより詳細に説明する。
【００２０】
【図１】図１は、本明細書の実施形態による無線通信ネットワークを示す概略図を示す。
【図２】図２は、ＮＲ及びＬＴＥのＵＬサブキャリアグリッドがアラインされていないことを示し、１５ｋＨｚのＮＲサブキャリアグリッドが示されている。
【図３】図３は、本明細書の実施形態による概略的なフローチャート及びシグナリングスキームの組み合わせである。
【図４ａ】、
【図４ｂ】図４ａ及び図４ｂは、サブキャリアのシフトされたグリッドとシフトされていないグリッドを示す。
【図５ａ】図５ａは、本明細書の実施形態による概略的なフローチャートである。
【図５ｂ】図５ｂは、本明細書の実施形態による無線デバイスによって実行される方法を示す概略フローチャートである。
【図５ｃ】図５ｃは、本明細書の実施形態による無線ネットワークノードによって実行される方法を示す概略フローチャートである。
【図６】図６は、本明細書の実施形態による無線ネットワークノードを示すブロック図である。
【図７】図７は、本明細書の実施形態による無線デバイスを示す概略図を示す。
【発明を実施するための形態】
【００２１】
本明細書の実施形態は、概して無線通信ネットワークに関連している。図１は、無線通信ネットワーク１を示す概略図である。無線通信ネットワーク１は、１つ以上のＲＡＮと１つ以上のＣＮとを含む。無線通信ネットワーク１は、New Radio（ＮＲ）、Ｗｉ−Ｆｉ、ＬＴＥ、ＬＴＥ−Ａｄｖａｎｃｅｄ、第５世代（５Ｇ）、広帯域符号分割多元接続（ＷＣＤＭＡ）、Global System for Mobile communications/enhanced Data rate for GSM Evolution （ＧＳＭ／ＥＤＧＥ）、Worldwide Interoperability for Microwave Access（ＷｉＭａｘ）、又はUltra Mobile Broadband（ＵＭＢ）といった、１つ又はいくつかの異なる技術を使用してもよく、いくつかの可能な実装について言及している。本明細書の実施形態は、５Ｇコンテキストにおいて特に興味深い最近の技術動向に関連している。しかし、実施形態はまた、例えばＷＣＤＭＡ及びＬＴＥのような既存の無線通信システムの更なる開発にも適用可能である。
【００２２】
無線通信ネットワーク１において、無線デバイス（例えば、移動局、非アクセスポイント（非ＡＰ）ＳＴＡ、ＳＴＡ、ユーザ装置及び／又は無線端末といった、無線デバイス１０）は、１つ以上のアクセスネットワーク（ＡＮ）（例えば、ＲＡＮ）を介して１つ以上のコアネットワーク（ＣＮ）に対して通信する。「無線デバイス」は、任意の端末、無線通信端末、ユーザ装置、マシン型通信（ＭＴＣ）デバイス、デバイス・ツー・デバイス（Ｄ２Ｄ）端末、又は、例えば、スマートフォン、ラップトップ、携帯電話、センサ、中継器、モバイルタブレット、若しくは更には無線ネットワークノードによるサービスが提供されるエリア内の、当該無線ネットワークノードとの無線通信を使用して通信可能な小型基地局等のノード、を意味する非限定的な用語であることが当業者によって理解されるべきである。
【００２３】
無線通信ネットワーク１は、第１の無線ネットワークノード１２を含み、当該第１の無線ネットワークノードは、ＬＴＥ、Ｗｉ−Ｆｉ、ＷｉＭＡＸ又は同様のもの等の第１の無線アクセス技術（ＲＡＴ）又は第１の無線通信ネットワークの地理的エリア（第１のサービスエリア１１又は第１のビーム）にわたって無線カバレッジを提供する。第１の無線通信ネットワークは、広帯域ネットワークでありうる。第１の無線ネットワークノード１２は、例えば第１の無線アクセス技術及び使用される用語に依存して、送受信ポイント（例えば、無線ローカルエリアネットワーク（ＷＬＡＮ）アクセスポイント又はアクセスポイントステーション（ＡＰ ＳＴＡ）のような無線ネットワークノード）、アクセスノード、アクセスコントローラ、基地局（例えば、ノードＢ、進化型ノードＢ（ｅＮＢ、ｅノードＢ）、ｇノードＢ、基地局装置、無線リモートユニット、アクセスポイント基地局、基地局ルータ、無線基地局の送信配置、スタンドアロン型アクセスポイント、又は任意の他のネットワークユニット）、又は第１の無線ネットワークノード１２によってサービスが提供されるサービスエリア内の無線デバイスと通信可能なノードでありうる。第１の無線ネットワークノード１２は、第１のサービスエリアがサービングビームと称されうるサービングネットワークノードと称されることがあり、サービングネットワークノードは、無線デバイス１０へのＤＬ送信及び無線デバイス１０からのＵＬ送信の形式で、無線デバイス１０へのサービスの提供及び当該無線デバイスとの通信を行う。
【００２４】
第２の無線ネットワークノード１３は更に、ＮＲ、ＬＴＥ、Ｗｉ−Ｆｉ、ＷｉＭＡＸ等の第２の無線アクセス技術（ＲＡＴ）又は第２の無線通信ネットワークの、第２のサービスエリア１４又は第２のビームにわたって無線カバレッジを提供しうる。第２の無線通信ネットワークは、狭帯域ネットワークでありうる。第１のＲＡＴ及び第２のＲＡＴは、同一又は異なるＲＡＴでありうる。第２の無線ネットワークノード１３は、例えば第２の無線アクセス技術及び使用される用語に依存して、送受信ポイント（例えば、無線ローカルエリアネットワーク（ＷＬＡＮ）アクセスポイント又はアクセスポイントステーション（ＡＰ ＳＴＡ）のような無線ネットワークノード）、アクセスノード、アクセスコントローラ、基地局（例えば、ノードＢ、進化型ノードＢ（ｅＮＢ、ｅノードＢ）、ｇノードＢ、基地局装置、無線リモートユニット、アクセスポイント基地局、基地局ルータ、無線基地局の送信配置、スタンドアロン型アクセスポイント、又は任意の他のネットワークユニット）、又は第２の無線ネットワークノード１３によってサービスが提供されるサービスエリア内の無線デバイスと通信可能なノードでありうる。
【００２５】
本明細書の実施形態によれば、ＬＴＥネットワーク等の第１の無線通信ネットワークは、例えば、ＤＬ送信に使用される（サブキャリアグリッドとも称される）複数のサブキャリアグリッドに関連して、１つ以上の無線デバイスからの上りリンク送信用のサブキャリアへの第１の周波数シフトを適用するように構成される。リソースエレメントごとに第１の無線通信ネットワークとの共存を可能にするために、１５ｋＨｚのサブキャリア帯域幅を使用するＮＲネットワーク等の、第２の無線通信ネットワークにおける上りリンク送信の周波数がシフトされる。第１及び第２の無線通信ネットワークのリソースエレメントごとの共存は、周波数の同じ帯域幅で起こりうる。周波数の同じ帯域幅は、例えば、第１及び第２の無線通信ネットワークのシステム帯域幅の重複部分であってもよいし、又は第１及び第２の無線通信ネットワークは、システム帯域幅の少なくとも１つの同じ周波数帯域で共存してもよい。いくつかの実施形態では、周波数の同じ帯域幅は、第１及び第２の無線通信ネットワークの、同じキャリア帯域幅でありうる。
【００２６】
したがって、本明細書の実施形態は、無線デバイス１０が、上りリンク送信用の当該無線デバイスのサブキャリアを、第２の無線通信ネットワークのサブキャリアグリッドに関連して（例えば、１／２サブキャリアだけ）シフトすることによって、又は、異なる複数の無線通信ネットワークのサブキャリアがアラインされるように、ＮＲネットワーク等の第２の無線通信ネットワークのサブキャリアグリッドをシフトすることによって、第２の周波数シフトを適用することを開示する。当該サブキャリアグリッドは、いくつかの例では、第２の無線通信ネットワークの上りリンクのサブキャリアグリッドでありうる。
【００２７】
これは、第２の無線通信ネットワークが、ＵＬ通信用に周波数分割複信（ＦＤＤ）を行うように設定されている又はＦＤＤを使用している場合に、無線デバイスのためにＵＬ送信に対して実行される。第２の周波数シフトは、第１の無線通信ネットワークに使用される第１の周波数シフトに対応してもよく、即ち、当該第１の周波数シフトと同じ周波数シフトであってもよい。第２の周波数シフトのこの適用は、ベースバンドで行われてもよいし（この場合、ＤＣ周波数の低変調品質がいくつかのサブキャリアに広がるため、あまり好ましくない）、又は、第２の無線通信ネットワークの下りリンクグリッドと上りリンクグリッドと間のデュプレックス距離を、動作帯域で使用されるデュプレックス距離に対して１／２サブキャリアだけ調整することによって行われてもよい。
【００２８】
第２の無線通信ネットワーク（例えば、ＮＲネットワーク）における、１／２サブキャリアシフト等のシフトの適用は、ＤＦＴＳ−ＯＦＤＭには許容されるがＯＦＤＭには不利な場合があり、これは、ＤＣ周波数の低変調品質が、単一のサブキャリアに限定されずに各ＯＦＤＭトーンのｓｉｎｃ伝達関数に起因して複数のサブキャリアに広がるためである。
【００２９】
したがって、いくつかの実施形態によれば、第２の周波数シフトは、第２の無線通信ネットワークにおける上りリンク送信にＤＦＴＳ−ＯＦＤＭが使用されるか否かに応じて選択的に適用されうる。いくつかの実施形態では、サブキャリアの１５ｋＨｚ幅を使用するＮＲ等の第２の無線通信ネットワークがリソースエレメントごとの粒度で第１の無線通信ネットワークと同じキャリア帯域幅で共存することが可能になるように、ＮＲネットワークによって例示される第２の無線通信ネットワークと、ＬＴＥによって例示される第１の無線通信ネットワークとは、同じサブキャリアグリッドを共有しうる。ＮＲ及びＬＴＥについては、これは下りリンクでは満たされるが、ＬＴＥは、例えば、上りリンクにおいて７．５ｋＨｚ又は１／２サブキャリアシフトを適用し、これは、ＮＲがそのようなシフトを適用しない場合にはアラインされていないサブキャリアグリッドをもたらす（図２を参照）。
【００３０】
図３は、本明細書のいくつかの実施形態を示す概略的なフローチャート及びシグナリングスキームの組み合わせである。ＬＴＥネットワーク等の第１の無線通信ネットワークは、１つ以上の無線デバイスからの上りリンク送信用のサブキャリアに対して第１の周波数シフトを適用するように構成される。本明細書の実施形態は、第１の無線通信ネットワークが存在する場合と、及び第１の無線通信ネットワークが存在しない場合もカバーすることに留意されたい。このため、共存のための他の無線通信ネットワークが存在しない場合でも、ＴＤＤではなく、ＦＤＤに常に第２の周波数シフトが適用されてもよい。
【００３１】
アクション３０１
第２の無線ネットワークノード１３は、ＮＲネットワーク等の第２の無線通信ネットワークが、無線デバイスへの送信及び／又は無線デバイスからの受信のためにＦＤＤを使用することを判定してもよい。例えば、第２の無線ネットワークノード１３は、第２の無線通信ネットワーク（例えば、ＮＲ）が、例えば無線デバイスへの送信及び／又は無線デバイスからの受信のために、ＦＤＤを使用するかＴＤＤを使用するかを判定しうる。
【００３２】
アクション３０２
第２の無線通信ネットワークがＦＤＤを使用すると判定されると、第２の無線ネットワークノード１３は、無線デバイスからの上りリンク送信についての第２の周波数シフトを決定する。第２の周波数シフトは、上りリンク送信用の、第２の無線通信ネットワークのためのサブキャリアグリッドに関連したサブキャリアへのシフトであるか、又は、第２の周波数シフトは、上りリンク送信用の、第２の無線通信ネットワークのためのサブキャリアグリッドへの周波数シフトである。第２の周波数シフトは、第１の無線通信ネットワークに使用される第１の周波数シフトに対応してもよい。例えば、第２の周波数シフトは、１／２サブキャリアシフトであってもよく、それにより、第１の無線通信ネットワーク及び第２の無線通信ネットワーク用の（サブキャリアのグリッドとも称される）サブキャリアグリッドがアラインされる。第２の無線通信ネットワークが、存在する唯一の無線通信ネットワークである場合には、第２の無線ネットワークノード１３は、ちょうどＦＤＤに基づいて第２の周波数シフトを実施することを決定してもよい（シフトされたデュプレックス距離を介するか、又はベースバンドにおけるシフトを行う）。サブキャリアグリッドへのシフトとは、デュプレックス距離のシフト（即ち、デュプレックス距離を調整することで得られるサブキャリアグリッドへのシフト）を意味し、サブキャリアグリッドに関連したサブキャリアへのシフトとは、ベースバンドにおけるシフトを意味する。
【００３３】
アクション３０３
第２の無線ネットワークノード１３は、ＵＬ送信のために決定された第２の周波数シフトを無線デバイス１０に設定しうる。第２の無線ネットワークノード１３は、例えば、第２の周波数シフトを上りリンク送信に適用するか否かを無線デバイス１０に指示するインジケーションを送信しうる。このインジケーションは、テーブル内のインデックス、又は第２の周波数シフトについての周波数の値でありうる。
【００３４】
アクション３０４
無線デバイス１０は、ＦＤＤを使用して（即ち、ＤＬ及びＵＬ送信で異なる周波数を使用して）第２の無線通信ネットワークで通信するために、例えば、デュプレックス距離に関連したシフトとして、又はサブキャリアグリッドに関連したサブキャリアへのシフトとして、例えば、ベースバンドにおけるシフトとして、例えばサブキャリアグリッドに対して第２シフトを適用する。
【００３５】
アクション３０５
次に、第２の無線ネットワークノード１３は、シフトされたサブキャリアグリッドの適用、又はサブキャリアグリッドに関連してシフトされたサブキャリアの適用に関連する、無線デバイス１０からの送信を受信して、読み取り又は復号を行いうる。即ち、第２の無線ネットワークノード１３は、無線デバイス１０からのＵＬ送信の読み取り又は復号のために第２の周波数シフトを使用しうるか、及び／又は、第２の周波数シフトに基づいてＵＬ送信を読み取り又は復号しうる。
【００３６】
ＦＤＤでは、第２の周波数シフトは、ＬＴＥとＮＲとの共存を例として、以下の２つの方法で実装されうる：ＵＬが、ＬＴＥにおけるようにベースバンドで１／２サブキャリアだけシフトされるか、又は、ＮＲのデュプレックス距離が、この動作帯域で展開されるＬＴＥのデュプレックス距離に対して、例えば７．５ｋＨｚ（１／２サブキャリア）だけ調整される。
【００３７】
１／２サブキャリアのベースバンドシフト
第２の周波数シフトは、ＬＴＥ仕様３６．２１１ ｖ．１４．０．０におけるシフトとして次式により記述される。
2020516144.tif 000003
ここで、
ＮRBUL    上りリンクのＰＲＢの数
ＮscRB    ＰＲＢごとのサブキャリア数
ａ    サブキャリア間隔
Δｆ    サブキャリア間隔
ＮCP    サンプル数でのサイクリックプレフィックス長
Ｔs    １サンプルの時間（チップレート）
【００３８】
式（ｋ＋１／２）Δｆ（１／２の部分）は、ベースバンドにおける１／２サブキャリアシフトを実現する。これは、ＮＲ等の第２の無線通信ネットワークのために行われうる。ＯＦＤＭシステムでは、各サブキャリアは、ｓｉｎｃ類似のサブキャリア伝達関数を有する。図４ａは、シフトが適用されず、かつ、ＤＣ周波数（０）がサブキャリアグリッドのサブキャリア０と一致する例を示している。図４ｂは、ＤＣ周波数（０）が２つのサブキャリアの間にあるように、ベースバンドで実行される１／２サブキャリアシフトを伴う実施形態を示している。ｓｉｎｃ類似の関数は、サブキャリア伝達関数を示している。ＤＣ周波数がサブキャリアと一致する（即ち、シフトが適用されない、図４ａを参照）場合、ＤＣ周波数（０）の低変調品質が、主にシングルトーン（サブキャリア０）に制限される（これは、ＤＣ周波数が、隣接サブキャリアのｓｉｎｃ類似の関数の０の上にかかるためである）。２つのサブキャリアの中間にあるシフトＤＣ周波数（０）により（図４ｂを参照）、低変調品質が複数のサブキャリアを害する。特にＯＦＤＭの場合、DC周波数の低変調品質は、複数のサブキャリアに広がるのではなく、単一のサブキャリアに制限されることが望ましい。したがって、第２の周波数シフトをベースバンドにおけるDCサブキャリアシフトとして実装することは、望ましいソリューションではないものの確かに１つの可能性である。
【００３９】
デュプレックス距離の調整
ＬＴＥ等の第１の無線通信ネットワークでは、上りリンクと下りリンクとの間のデュプレックス距離がデフォルトの帯域固有値を有しうるか、又はデュプレックス距離がシステム情報の一部としてシグナリングされうる。いずれの場合も、デュプレックス距離は、常に１００ｋＨｚの倍数であり、これは上りリンクの中心周波数と下りリンクの中心周波数との間隔である。
【００４０】
下りリンクと上りリンクのサブキャリアグリッド間のアライメントを実現するために、１つの可能性は、第２の無線通信ネットワークのデュプレックス距離を第２の周波数シフトで調整することであり、ＮＲのデュプレックス距離は、ｎ・１００＋７．５ｋＨｚ 又は ｎ・１００−７．５ｋＨｚ となりうる。
【００４１】
この第２の周波数シフトは固定されてもよく、即ち、第２の無線通信ネットワークのデュプレックス距離は、少なくとも第１の無線通信ネットワークに対して定められた帯域については、常に上記の式に従いうる。あるいは、デュプレックス距離は、第２の無線通信ネットワークに対して設定されてもよく、ＮＲについての少なくとも１つの可能な設定値は、ｎ・１００＋７．５ｋＨｚ 又は ｎ・１００−７．５ｋＨｚ でありうる。
【００４２】
代替の定式化は、第２の無線通信ネットワークのデュプレックス距離へのオフセットを有することである。所与の帯域におけるデュプレックス距離は、例えば、ＬＴＥ値に従いうる。当該デュプレックス距離の上で、ＮＲは、７．５ｋＨｚ又は−７．５ｋＨｚのオフセットを有しうる。第２の周波数シフトの例であるこのオフセットは、例えば仕様で固定されうるか、又は設定可能でありうる。
【００４３】
ＮＲの７．５ｋＨｚのシフト値は、ＮＲヌメロロジーが１５ｋＨｚであることに基づいている。ＮＲキャリアが１５ｋＨｚで動作しない場合、デュプレックス距離を７．５ｋＨｚ調整する必要はない。ただし、ＮＲキャリアが１５ｋＨｚ及び他のヌメロロジーで動作する場合、他のヌメロロジーでも７．５ｋＨｚのシフトを適用することは理にかなっている。本明細書におけるヌメロロジーは、例えば、サブキャリアの幅等をカバーしている。
【００４４】
ＴＤＤの場合、ＵＬシフトは、ベースバンドシフト手法を使用して実現されうるか、又は、それぞれの方向に７．５ｋＨｚオフセットされた２つの局部発振器を用いて実現されうる。ＯＦＤＭについての前節で説明したように（図４ｂを参照）、低変調品質のＤＣ周波数が複数のサブキャリアにわたって広がるため、ベースバンドシフトには欠点がある。代替のソリューションは、２つの局部発振器を使用することでありうるが、これは無線デバイスの消費電力を増加させ、これも好ましくない。
【００４５】
ＮＲは、ＴＤＤをサポートするとともに、リンク方向を動的に選択できる動的ＴＤＤもサポートする。特に、動的ＴＤＤクロスリンク干渉（即ち、下りリンクから上りリンクへの干渉及びその逆の干渉）が発生する可能性があり、そのキャンセルは有益でありうる。上りリンクと下りリンクの両方が共通のサブキャリアグリッドを共有している場合、このようなキャンセルは大幅に簡素化される。これは、ＮＲ ＴＤＤで１／２サブキャリアシフトを適用しないもう１つの理由である。
【００４６】
このため、例えば１／２サブキャリアシフトをＮＲ上りリンクに適用することは単純ではない。１／２サブキャリアシフトが無ければ、１５ｋＨｚを使用するＮＲとＬＴＥとの間のリソースエレメントごとの共存は、ＵＬでは不可能であり、ＮＲとＬＴＥとは、それでも、周波数で同じ帯域幅、例えば、ガードバンドを用いて周波数で同じキャリア帯域幅を共有することができるか、又はＮＲとＬＴＥとは、時間領域で多重化されることもできるが、そのようなソリューションはリソース効率が良くない。
【００４７】
ＴＤＤの場合、いずれのソリューションも十分な効果を提供しないため、ＴＤＤに対してはシフトを実装しないことが提案される。したがって、本明細書の実施形態は、ＦＤＤを使用する第２の無線通信ネットワークについて、例えば、固定の又は設定可能な７．５ｋＨｚのオフセットによる、デュプレックス距離
2020516144.tif 000004
の定式化を含む、例えばデュプレックス距離の調整により、例えば１／２サブキャリアの第２の周波数シフトを実装することに関連する。あるいは、第２の周波数シフトは、本明細書で開示されるようにベースバンドで実現されうる。
【００４８】
図５ａには、本明細書のいくつかの実施形態を説明するフローチャートが示されている。
【００４９】
アクション５００１
第２の無線通信ネットワークがＦＤＤを使用するかＴＤＤを使用するかを判定し、例えば、第２の無線ネットワークノード１３及び／又は無線デバイス１０で判定される。
【００５０】
アクション５００２
ＦＤＤが使用される場合、第２の周波数シフトをＵＬ送信に適用する。ＴＤＤの場合、第２の周波数シフトは実装されない。
【００５１】
ＴＤＤを使用する場合、シフトは使用されず、第１及び第２の無線通信ネットワークを分離するためにガードバンドが使用される。このため、無線デバイス１０は、第２の無線通信ネットワークがＦＤＤを使用する場合、上りリンク送信に第２の周波数シフトを適用する。無線デバイスは、第２の無線通信ネットワークがＴＤＤを使用する場合、上りリンク送信への第２の周波数シフトの適用を省略しうる。
【００５２】
第２の無線通信ネットワークがＦＤＤを使用するかどうかが、判定基準でありうる。第２の無線ネットワークノード１３は、無線デバイス１０に何も信号を送る必要がない場合があり、これは、無線デバイス１０が、この第２の無線通信ネットワークがＦＤＤを使用するかどうかを動作帯域から把握するためである。
【００５３】
次に、図５ｂに示されるフローチャートを参照して、いくつかの実施形態による第２の無線通信ネットワーク内の無線デバイスのための通信を処理するための、無線デバイス１０によって実行される方法のアクションについて説明する。アクションは以下に記述される順序で実行されなくてもよいが、任意の適切な順序で実行されうる。いくつかの実施形態で実行されるが必ずしも全ての実施形態で実行されないアクションは、破線のボックスで示されている。第２の無線通信ネットワークは、同じ周波数帯域幅で第１の無線通信ネットワークと共存している。第１の無線通信ネットワークは、第１の周波数シフトを上りリンク送信に適用する。
【００５４】
アクション５０１
無線デバイス１０は、第２の無線通信ネットワークがＦＤＤを使用する場合に、上りリンク送信への第２の周波数シフトの適用又は使用を示すインジケーションを、無線ネットワークノードから受信する。
【００５５】
アクション５０２
無線デバイス１０は更に、第２の周波数シフトを上りリンク送信に適用し、第２の周波数シフトは、第２の無線通信ネットワークのサブキャリアグリッドに関連したサブキャリアへの周波数シフト、又は、第２の無線通信ネットワークのサブキャリアグリッドへの周波数シフトを定める。当該サブキャリアグリッドは、いくつかの例では、第２の無線通信ネットワークの上りリンクのサブキャリアグリッドでありうる。
【００５６】
無線デバイス１０は更に、第２の無線通信ネットワークがＴＤＤを使用する場合、上りリンク送信への第２の周波数シフトの適用を省略しうる。第２の周波数シフトは、第１の無線通信ネットワークにより使用される第１の周波数シフトに対応してもよい。インジケーションは、上りリンク送信への第２の周波数シフトの適用を省略することを示してもよく、例えば、インジケーションは、第２の周波数シフトとして０を示してもよい。
【００５７】
次に、図５ｃに示されるフローチャートを参照して、いくつかの実施形態による第２の無線通信ネットワーク内の無線デバイス１０のための通信を可能にするための、無線ネットワークノード１３等の無線デバイスによって実行される方法のアクションについて説明する。アクションは以下に記述される順序で実行されなくてもよいが、任意の適切な順序で実行されうる。いくつかの実施形態で実行されるが必ずしも全ての実施形態で実行されないアクションは、破線のボックスで示されている。第２の無線通信ネットワークは、同じ周波数帯域幅で第１の無線通信ネットワークと共存している。第１の無線通信ネットワークは、第１の周波数シフトを上りリンク送信に適用する。
【００５８】
アクション５１１
無線ネットワークノードは、第２の無線通信ネットワークがＦＤＤを使用しているか時分割複信（ＴＤＤ）を使用しているかを判定しうる。
【００５９】
アクション５１２
無線ネットワークノードは、第２の周波数シフトを決定しうる。例えば、無線ネットワークノードは、第１の無線通信ネットワーク用のサブキャリアグリッドと前記第２の無線通信ネットワーク用のサブキャリアグリッドとをアラインさせるように、又は、第２の無線通信ネットワークのサブキャリアと第１の無線通信ネットワークのサブキャリアとをアラインさせるように、第２の周波数シフトを決定しうる。当該サブキャリアグリッドは、いくつかの例では、第１及び第２の無線通信ネットワークの上りリンクのサブキャリアグリッドでありうる。
【００６０】
アクション５１３
無線ネットワークノードは、第２の無線通信ネットワークがＦＤＤを使用する場合に、上りリンク送信への第２の周波数のシフトの適用を示すインジケーションを、無線デバイス１０へ送信する。第２の周波数シフトは、第２の無線通信ネットワークのサブキャリアグリッドに関連したサブキャリアへの周波数シフト、又は、第２の無線通信ネットワークのサブキャリアグリッドへの周波数シフトを定める。インジケーションは、上りリンク送信への第２の周波数シフトの適用を省略することを示しうる。第２の周波数シフトは、第１の無線通信ネットワークにより使用される第１の周波数シフトに対応してもよい。ＦＤＤが使用されていると判定された場合にはインジケーションが送信され、ＴＤＤが使用されていると判定された場合にはインジケーションは送信されないことがある。
【００６１】
図６は、２つの実施形態において、第２の無線通信ネットワークにおける無線デバイス１０の通信を可能にする本明細書の実施形態による、第２の無線ネットワークノード１３等の無線ネットワークノードを示すブロック図である。第２の無線通信ネットワークは、同じ周波数帯域幅で第１の無線通信ネットワークと共存するように構成され、第１の無線通信ネットワークは、第１の周波数シフトを上りリンク送信に適用するように構成される。
【００６２】
第２の無線ネットワークノード１３は、処理回路１２０１（例えば、本明細書の方法を実行するように構成された１つ以上のプロセッサ）を備えうる。
【００６３】
第２の無線ネットワークノード１３は、判定モジュール１２０２を備えうる。第２の無線ネットワークノード１３、処理回路１２０１、及び／又は判定モジュール１２０２は、第２の無線通信ネットワークが周波数分割複信（ＦＤＤ）を使用するか時分割複信（ＴＤＤ）を使用するかを判定するように構成されうる。第２の無線ネットワークノード１３、処理回路１２０１、及び／又は判定モジュール１２０２は、第２の無線通信ネットワークがＦＤＤを使用する否かを判定するように構成されうる。第２の無線ネットワークノード１３、処理回路１２０１、及び／又は判定モジュール１２０２は、第２の周波数シフトを決定するように構成されうる。第２の周波数シフトは、第１の無線通信ネットワーク用のサブキャリアグリッドと第２の無線通信ネットワーク用のサブキャリアグリッドとをアラインさせるように決定されうるか、又は、第２の無線通信ネットワークのサブキャリアと第１の無線通信ネットワークのサブキャリアとをアラインさせるように決定されうる。
【００６４】
第２の無線ネットワークノード１３は、送信モジュール１２０３（例えば、送信機又は送受信機）を備えうる。第２の無線ネットワークノード１３、処理回路１２０１、及び／又は送信モジュール１２０３は、第２の無線通信ネットワークがＦＤＤを使用する場合に、上りリンク送信への第２の周波数シフトの適用を示すインジケーションを、無線デバイス１０へ送信するように構成される。第２の周波数シフトは、第２の無線通信ネットワークのサブキャリアグリッドに関連したサブキャリアへの周波数シフト、又は、第２の無線通信ネットワークのサブキャリアグリッドへの周波数シフトを定める。例えば、第２の無線ネットワークノード１３、処理回路１２０１、及び／又は送信モジュール１２０３は、ＵＬ送信に第２の周波数シフトを適用するように無線デバイス１０に命令するインジケーションで無線デバイスを設定するように構成されうる。例えば、ＵＬ送信用の第２のサブキャリアグリッドとも称されるサブキャリアグリッドに対して第２の周波数シフトを適用するか、又は、ＵＬ送信用の第２のサブキャリアグリッドに関連したサブキャリアに第２の周波数シフトを適用する。インジケーションは、上りリンク送信への第２の周波数シフトの適用を省略する（例えば、シフトがゼロである）ことを示しうる。第２の周波数シフトは、第１の無線通信ネットワークにより使用される第１の周波数シフトに対応してもよい。第２の無線ネットワークノード１３、処理回路１２０１、及び／又は送信モジュール１２０３は、ＦＤＤが使用される場合にインジケーションを送信し、ＴＤＤが使用される場合にインジケーションを送信しないように構成される。
【００６５】
第２の無線ネットワークノード１３は、受信モジュール１２０４（例えば、受信機又は送受信機）を備えうる。第２の無線ネットワークノード１３、処理回路１２０１、及び／又は受信機及び／又は受信モジュール１２０４は、第２の周波数シフトに関連するか又は第２の周波数シフトを考慮に入れるサブキャリア上で、ＵＬ送信を受信するように構成されうる。
【００６６】
第２の無線ネットワークノード１３は、メモリ１２０５を更に備えうる。メモリは、シフトのセット、サブキャリアグリッド、スケジューリング情報、デュプレックス情報、インデックス、実行時に、本明細書に開示の方法を実行するアプリケーション等のデータを格納するために使用される、１つ以上のユニットを備える。第２の無線ネットワークノード１３は、送信機、受信機、送受信機及び／又は１つ以上のアンテナ等の、通信インタフェース１２０８を備えうる。
【００６７】
第２の無線ネットワークノード１３について本明細書に記載された実施形態による方法は、例えば、少なくとも１つのプロセッサで実行されると当該少なくとも１つのプロセッサに、第２の無線ネットワークノード１３によって実行されるように本明細書に記載のアクションを実行させる命令（即ち、ソフトウェアコード部分）を含むコンピュータプログラム１２０６又はコンピュータプログラム製品によって、それぞれ実装される。コンピュータプログラム１２０６は、コンピュータで読み取り可能な記憶媒体１２０７（例えば、ディスク、ユニバーサルシリアルバス（ＵＳＢ）スティック、メモリ等）に格納されてもよい。コンピュータプログラムを格納した、コンピュータで読み取り可能な記憶媒体１２０７は、少なくとも１つのプロセッサで実行されると当該少なくとも１つのプロセッサに、第２の無線ネットワークノード１３によって実行されるように本明細書に記載のアクションを実行させる命令を含んでもよい。いくつかの実施形態では、コンピュータで読み取り可能な記憶媒体は、非一時的なコンピュータ読み取り可能憶媒体又は一時的なコンピュータ読み取り可能媒体でありうる。このように、無線ネットワークノードは、処理回路及びメモリを備えてもよく、当該メモリは、当該処理回路によって実行可能な命令を含んでよく、それにより、当該無線ネットワークノードは、本明細書の方法を実行するように動作可能である。
【００６８】
図７は、２つの実施形態において、第２の無線通信ネットワークにおける無線デバイス１０の通信を処理にする本明細書の実施形態による、無線デバイス１０を示すブロック図である。第２の無線通信ネットワークは、同じ周波数帯域幅で第１の無線通信ネットワークと共存するように構成され、第１の無線通信ネットワークは、第１の周波数シフトを上りリンク送信に適用するように構成される。
【００６９】
無線デバイス１０は、処理回路１００１（例えば、本明細書の方法を実行するように構成された１つ以上のプロセッサ）を備えうる。
【００７０】
無線デバイス１０は、判定モジュール１００２を備えうる。無線デバイス１０、処理回路１００１、及び／又は判定モジュール１００２は、第２の無線通信ネットワークによってＦＤＤが使用されているか否か（又はＴＤＤが使用されているか）を判定するように構成されうる。
【００７１】
無線デバイス１０は、受信モジュール１００４（例えば、受信機又は送受信機）を備えうる。無線デバイス１０、処理回路１００１、及び／又は受信モジュール１００４は、第２の無線通信ネットワークがＦＤＤを使用する場合に、上りリンク送信への第２の周波数シフトの適用を示すインジケーションを、無線ネットワークノードから受信するように構成される。例えば、無線デバイス１０、処理回路１００１、及び／又は受信モジュール１００４は、ＵＬ送信に第２の周波数シフトを適用するように無線デバイス１０に命令するインジケーションを受信するように構成されうる。例えば、ＵＬ送信用の第２のサブキャリアグリッドとも称されるサブキャリアグリッドに対して第２の周波数シフトを適用するか、又は、ＵＬ送信用の第２のサブキャリアグリッドに関連してサブキャリアに第２の周波数シフトを適用する。インジケーションは、上りリンク送信への第２の周波数シフトの適用を省略することを示しうる。
【００７２】
無線デバイス１０は、送信モジュール１００３（例えば、送信器又は送受信機）を備えうる。無線デバイス１０、処理回路１００１、及び／又は送信機及び／又は送信モジュール１００３は、第２の周波数シフトを上りリンク送信に適用するように構成され、第２の周波数シフトは、第２の無線通信ネットワークのサブキャリアグリッドに関連したサブキャリアへの周波数シフト、又は、第２の無線通信ネットワークのサブキャリアグリッドへの周波数シフトを定める。例えば、ＦＤＤが第２の無線通信ネットワークで使用される場合、無線デバイス１０、処理回路１００１、及び／又は送信機及び／又は送信モジュール１００３は、ＵＬ送信用のサブキャリアグリッドに関連したサブキャリアへの第２の周波数シフトを適用するか、又は第２の無線通信ネットワークのためのＵＬ送信用のサブキャリアグリッドへの第２の周波数シフトを適用するように構成される。いくつかの実施形態において、無線デバイス１０、処理回路１００１、及び／又は送信モジュール１００３は、第２の無線通信ネットワークでＴＤＤが使用される場合、第２の周波数シフトの適用を省略するように構成されうる。第２の周波数シフトは、第１の無線通信ネットワークにより使用される第１の周波数シフトに対応してもよい。
【００７３】
無線デバイス１０は、メモリ１００５を備えうる。メモリは、シフト、サブキャリアグリッド、スケジューリング情報、デュプレックス情報、インデックス、実行時に、本明細書に開示の方法を実行するアプリケーション等のデータを格納するために使用される、１つ以上のユニットを備える。無線デバイス１０は、送信機、受信機、送受信機及び／又は１つ以上のアンテナ等の、通信インタフェース１００８を備えうる。
【００７４】
無線デバイス１０について本明細書に記載された実施形態による方法は、例えば、少なくとも１つのプロセッサ上で実行されると、無線デバイス１０によって実行されるように少なくとも１つのプロセッサに本明細書に記載のアクションを実行させる命令（即ち、ソフトウェアコード部分）を含むコンピュータプログラム１００６又はコンピュータプログラム製品によって、それぞれ実装される。コンピュータプログラム１００６は、コンピュータで読み取り可能な記憶媒体１００７（例えば、ディスク、ユニバーサルシリアルバス（ＵＳＢ）スティック、メモリ等）に格納されてもよい。コンピュータプログラムを格納した、コンピュータで読み取り可能な記憶媒体１００７は、少なくとも１つのプロセッサで実行されると当該少なくとも１つのプロセッサに、無線デバイス１０によって実行されるように本明細書に記載のアクションを実行させる命令を含んでもよい。いくつかの実施形態では、コンピュータで読み取り可能な記憶媒体は、非一時的なコンピュータ読み取り可能憶媒体又は一時的なコンピュータ読み取り可能媒体でありうる。このように、無線デバイス１０は、処理回路及びメモリを備えてもよく、当該メモリは、当該処理回路によって実行可能な命令を含んでよく、それにより、当該無線デバイスは、本明細書の方法を実行するように動作可能である。
【００７５】
一般的なシナリオでは、「無線ネットワークノード」という用語は、「送受信ポイント」に置き換えられうることに留意されたい。通常、送信されたＲＳ又は異なる同期信号及びＢＲＳに基づいて、送受信ポイント（ＴＲＰ）が区別されうる。複数のＴＲＰが同じ無線ネットワークノードに論理的に接続されている場合があるが、地理的に離れているか又は異なる伝搬方向を指している場合、ＴＲＰは、異なる無線ネットワークノードと同じ問題の影響を受ける。本明細書のセクションでは、「無線ネットワークノード」及び「TRP」という用語は、互いに置き換え可能であると考えられうる。
【００７６】
更に、無線通信ネットワークは、多数のネットワーク／ＲＡＮスライスに仮想的にネットワークスライシングされ、各ネットワーク／ＲＡＮスライスは、１つ以上のタイプの無線デバイス及び／又は１つ以上のタイプのサービスをサポートし、即ち、各ネットワークスライスは、異なる機能セットをサポートする。ネットワークスライシングにより、ネットワーク／ＲＡＮスライスが様々なサービス及びユースケースに使用される可能性が生じ、これらのサービス及びユースケースでは、様々なネットワークスライスでサポートされる機能に違いが生じうる。各ネットワーク／ＲＡＮスライスは、それぞれのネットワークスライスにサービス／機能を提供する１つ以上のネットワークノード又はネットワークノードのエレメントを含みうる。各ネットワーク／ＲＡＮスライスは、ＲＡＮノード及び／又はコアネットワークノード等のネットワークノードを含みうる。
【００７７】
ＬＴＥ上りリンクには、サブキャリアのハーフトーンシフトがある。現在の合意では、このようなハーフトーンシフトはＮＲ上りリンクでは使用されない。したがって、ＬＴＥとＮＲとが同じキャリア周波数で共存する場合、２つのＲＡＴの上りリンクサブキャリアが互いに対してずれて、サブキャリア間干渉が発生する。
【００７８】
この問題に対処する方法には様々な選択肢がある。
【００７９】
選択肢＃１：何もしない
１つの選択肢は、現在の合意を維持する（即ち、ＮＲ上りリンクにハーフトーンシフトが存在しない）ことである。同じキャリアでのＮＲ上りリンク送信とＬＴＥ上りリンク送信との間のサブキャリア間干渉は、２つのＲＡＴ間に十分な（キャリア内）ガードバンドを提供するジョイントスケジューラによって許容レベルまで低減されうる。１５ｋＨｚ以外のヌメロロジーで動作するＮＲでのＬＴＥ／ＮＲの共存の場合、そのようなスケジューラが提供するガードバンドがとにかく必要とされることに留意されたい。
【００８０】
選択肢＃２：ＮＲ上りリンクにハーフトーンシフトを導入
第２の選択肢は、現在の合意を変更する（即ち、ＮＲ上りリンクにハーフトーンシフトを導入する）ことである。これを行いうる多くの方法がある。
‐一般に、ＮＲ上りリンクにハーフトーンシフトを使用する
‐「通常の」非ハーフトーンシフトされた上りリンク送信を補完するものとして、ＮＲ上りリンクにハーフトーンシフトを設定する一般的な可能性がある
‐ＬＴＥとの共存が関連する可能性がある又は可能性が高い周波数帯域に対してのみ、ＮＲ上りリンクのハーフトーンシフトを使用するか、又は設定する可能性がある
【００８１】
ＮＲ上りリンクの一般的なハーフトーンシフトは、リンク性能に悪影響を及ぼす可能性があるため魅力的ではないと考えられる。また、１５ｋＨｚ以外のヌメロロジー用のハーフトーンシフトは、いかなる利点も提供しないことを指摘する必要がある。
【００８２】
同時に、相補的なハーフトーンシフトは、ＮＲ／ＬＴＥ共存シナリオでいくつかの利点を潜在的に提供するが、デバイスの複雑度を増加させうる。
【００８３】
選択肢＃３：上りリンクのキャリア周波数を７．５ｋＨｚオフセットで調整する。
第３の選択肢は、一般的なハーフトーンシフトの代わりに、上りリンクキャリア全体を７．５ｋＨｚシフトする可能性を導入することである。これは、ＲＡＮ１の仕様に影響を与えない、柔軟なデュプレックス分離と見なすことができる。このような柔軟なデュプレックスは、仕様に関して、上りリンクキャリア周波数へのオフセットの設定をサポートする仕様によって、既に今日サポートされている。ＬＴＥの場合、この構成の粒度は１００ｋＨｚの単位であり、即ち、必要とされる７．５ｋＨｚよりも大幅に大きくなっている。ただし、ＮＢ−ＩｏＴの場合、粒度は２．５ｋＨｚ、即ち、必要とされる７．５ｋＨｚに沿っている。
【００８４】
上記の３つの選択肢のうち、選択肢＃１は明らかに最も簡単なものであり、既に行われた合意に変更がないことを意味する。それが十分でないことが判明した場合、選択肢＃３（即ち、上りリンクキャリアの７．５ｋＨｚのシフトの可能性を導入すること）は、補完として考えられるべきである。この選択肢は、キャリア周波数が表示されていないＲＡＮ＃１仕様に影響を与えないであろう。それは、ＲＡＮ４仕様に影響を与え、ＲＡＮ２ＲＲＣ仕様（上りリンクキャリアオフセットのシグナリング）にある程度、影響を与える。
【００８５】
本明細書の例を以下に開示する：
【００８６】
第２の無線通信ネットワークにおける無線デバイスのための通信を処理するための、当該無線デバイスによって実行される方法。第２の無線通信ネットワークは、同じ帯域幅内又は同じ帯域幅で、第１の無線通信ネットワークと共存しうる。このため、無線デバイスは、第２の無線通信ネットワークが周波数分割複信（ＦＤＤ）を使用する場合、上りリンク送信に第２の周波数シフトを適用する。無線デバイスは、第２の無線通信ネットワークが時分割複信（ＴＤＤ）を使用する場合、上りリンク送信への第２の周波数シフトの適用を省略しうる。第２の周波数シフトは、第２の無線通信ネットワークのサブキャリアグリッドに関連したサブキャリアへの周波数シフト、又は、第２の無線通信ネットワークのサブキャリアグリッドへの周波数シフトを定める。第２の周波数シフトは、第１の無線通信ネットワークにより使用される第１の周波数シフトに対応してもよい。
【００８７】
第２の無線通信ネットワークにおける無線デバイスのための通信を可能にするための、第２の無線ネットワークノード又は無線ネットワークノードによって実行される方法。第２の無線通信ネットワークは、同じ帯域幅内又は同じ帯域幅で、第１の無線通信ネットワークと共存しうる。第２の無線ネットワークノードは、第２の無線通信ネットワークがＦＤＤを使用する場合に、上りリンク送信への第２の周波数のシフトの適用を示すインジケーションで、無線デバイスを設定する。当該インジケーションは、第２の無線通信ネットワークがＴＤＤを使用する場合に、上りリンク送信への第２の周波数シフトの適用を省略するよう、無線デバイスに示しうる又は命令しうる。第２の周波数シフトは、第２の無線通信ネットワークのサブキャリアグリッドに関連したサブキャリアへの周波数シフト、又は、第２の無線通信ネットワークのサブキャリアグリッドへの周波数シフトを定める。第２の周波数シフトは、第１の無線通信ネットワークにより使用される第１の周波数シフトに対応してもよい。第２の無線ネットワークノードは更に、第２の無線通信ネットワークがＦＤＤを使用しているか（又はＴＤＤを使用しているか）を判定しうる。
【００８８】
更に、本明細書の方法を実行するように構成された無線デバイス及び第２の無線ネットワークノードも開示される。
【００８９】
いくつかの実施形態では、より一般的な用語である「無線ネットワークノード」が使用され、無線デバイス及び／又は他のネットワークノードと通信する任意のタイプの無線ネットワークノード又は任意のネットワークノードに対応しうる。ネットワークノードの例は、ＮｏｄｅＢ、マスターｅＮＢ、セカンダリｅＮＢ、マスターセルグループ（ＭＣＧ）又はセカンダリセルグループ（ＳＣＧ）に属するネットワークノード、基地局（ＢＳ）、ＭＳＲ ＢＳ等のマルチスタンダード無線（ＭＳＲ）無線ノード、ｅＮｏｄｅＢ、ネットワークコントローラ、無線ネットワークコントローラ（ＲＮＣ）、基地局コントローラ（ＢＳＣ）、中継器、中継器を制御するドナーノード、ベーストランシーバ基地局（ＢＴＳ）、アクセスポイント（ＡＰ）、送信ポイント、送信ノード、リモート無線ユニット（ＲＲＵ）、リモートラジオヘッド（ＲＲＨ）、分散アンテナシステム（ＤＡＳ）内のノード、コアネットワークノード（例えば、モビリティスイッチングセンタ（ＭＳＣ）、モバイル管理エンティティ（ＭＭＥ）等）、Operation and Maintenance（Ｏ＆Ｍ）、Operation Support System（ＯＳＳ）、Self-Organizing Network（ＳＯＮ）、ポジショニングノード（例えば、Evolved Serving Mobile Location Center（Ｅ−ＳＭＬＣ））、Minimizing Drive Test（ＭＤＴ）等である。
【００９０】
いくつかの実施形態では、無線デバイス又はユーザ装置（ＵＥ）という非限定的な用語が使用されており、当該用語は、セルラ又は移動通信システム内のネットワークノード及び／又は他の無線デバイスと通信する任意のタイプの無線デバイスを示しうる。無線デバイスの例は、目標デバイス、デバイス・ツー・デバイス（Ｄ２Ｄ）無線デバイス、
近接対応無線デバイス（ＰｒｏＳｅ ＵＥとも称される、マシンタイプ無線デバイス又はマシン・ツー・マシン（Ｍ２Ｍ）通信が可能な無線デバイス、ＰＤＡ、ＰＡＤ、タブレット、モバイル端末、スマートフォン、laptop embedded equipment（ＬＥＥ）、laptop mounted equipment（ＬＭＥ）、ＵＳＢドングル等である。
【００９１】
実施形態は５Ｇについて説明されている。しかし、実施形態は、無線デバイスが信号（例えばデータ）を受信及び／又は送信する任意のＲＡＴ又はマルチＲＡＴシステムに適用可能であり、例えば、ＬＴＥ、ＬＴＥ ＦＤＤ／ＴＤＤ、ＷＣＤＭＡ／ＨＳＰＡ、ＧＳＭ／ＧＥＲＡＮ、Ｗｉ Ｆｉ、ＷＬＡＮ、ＣＤＭＡ２０００等に適用可能である。
【００９２】
アンテナノードは、特定のサービスエリア又は方向をカバーする１つ以上のビームを生成可能なユニットである。アンテナノードは、基地局であっても基地局の一部であってもよい。
【００９３】
通信設計に精通している者には容易に理解されるように、その機能手段又はモジュールは、デジタルロジック及び／又は１つ以上のマイクロコントローラ、マイクロプロセッサ、又は他のデジタルハードウェアを使用して実装されうる。いくつかの実施形態では、単一の特定用途向け集積回路（ＡＳＩＣ）、又はそれらの間の適切なハードウェア及び／又はソフトウェアインタフェースを備えた２つ以上の別個のデバイスといった、様々な機能のいくつか又は全てが一緒に実装されうる。機能のいくつかは、例えば、無線デバイス又はネットワークノードの他の機能コンポーネントと共有されるプロセッサで実装されうる。
【００９４】
あるいは、議論された処理手段の機能エレメントのいくつかは、専用ハードウェアの使用を通じて提供されてもよく、その他のものは、適切なソフトウェア又はファームウェアに関連してソフトウェアを実行するハードウェアを用いて提供される。このため、本明細書で使用される「プロセッサ」又は「コントローラ」という用語は、ソフトウェアを実行可能なハードウェアのみを指すものではなく、限定することなく、デジタル信号プロセッサ（ＤＳＰ）ハードウェア、ソフトウェアを格納するための読み取り専用メモリ（ＲＯＭ）、ソフトウェア及び／又はプログラム又はアプリケーションデータを格納するためのランダムアクセスメモリ、及び不揮発性メモリを黙示的に含みうる。他のハードウェア、従来のもの及び／又はカスタムのものも含まれる場合がある。通信デバイスの設計者であれば、これらの設計選択に固有のコスト、性能、及びメンテナンスのトレードオフを十分に理解する。
【００９５】
前述の説明及び添付の図面が、本明細書で教示される方法及び装置の非限定的な例を表すことが理解される。したがって、本明細書で教示される装置及び技術は、前述の説明及び添付の図面によって限定されない。その代わりに、本明細書の実施形態は、以下の請求項及びそれらの法的な均等物によってのみ限定される。
【図１】
2020516144.tif 000005
【図２】
2020516144.tif 000006
【図３】
2020516144.tif 000007
【図４ａ】
2020516144.tif 000008
【図４ｂ】
2020516144.tif 000009
【図５ａ】
2020516144.tif 000010
【図５ｂ】
2020516144.tif 000011
【図５ｃ】
2020516144.tif 000012
【図６】
2020516144.tif 000013
【図７】
2020516144.tif 000014
【手続補正書】
【提出日】令和1年11月27日(2019.11.27)
【手続補正１】
【補正対象書類名】特許請求の範囲
【補正対象項目名】全文
【補正方法】変更
【補正の内容】
【特許請求の範囲】
【請求項１】
第２の無線通信ネットワークにおける無線デバイスのための通信を処理するための、当該無線デバイスによって実行される方法であって、前記第２の無線通信ネットワークは、同じ周波数帯域幅で第１の無線通信ネットワークと共存しており、前記第１の無線通信ネットワークは、第１の周波数シフトを上りリンク送信において適用し、前記方法は、
前記第２の無線通信ネットワークが周波数分割複信（ＦＤＤ）を使用する場合に、上りリンク送信への第２の周波数シフトの適用を示すインジケーションを、無線ネットワークノード（12,13）から受信すること（501）と、
前記第２の周波数シフトを上りリンク送信に適用すること（502）と、を含み、前記第２の周波数シフトは、前記第２の無線通信ネットワークのサブキャリアグリッドに関連したサブキャリアへの周波数シフト、又は、前記第２の無線通信ネットワークの前記サブキャリアグリッドへの周波数シフトを定める、方法。
【請求項２】
請求項１に記載の方法であって、前記第２の周波数シフトを上りリンク送信に適用すること（502）は、前記第２の無線通信ネットワークが時分割複信（ＴＤＤ）を使用する場合に省略される、方法。
【請求項３】
請求項１又は２に記載の方法であって、前記第２の周波数シフトは、前記第１の無線通信ネットワークによって使用される前記第１の周波数シフトに対応している、方法。
【請求項４】
請求項１又は２に記載の方法であって、前記インジケーションは、上りリンク送信への前記第２の周波数シフトの適用を省略することを示す、方法。
【請求項５】
第２の無線通信ネットワークにおける無線デバイス（10）のための通信を可能にするための、無線ネットワークノード（13）によって実行される方法であって、前記第２の無線通信ネットワークは、同じ周波数帯域幅で第１の無線通信ネットワークと共存しており、前記第１の無線通信ネットワークは、第１の周波数シフトを上りリンク送信に適用し、前記方法は、
前記第２の無線通信ネットワークが周波数分割複信（ＦＤＤ）を使用する場合に、上りリンク送信への第２の周波数シフトの適用を示すインジケーションを、前記無線デバイス（10）へ送信すること（513）と、前記第２の周波数シフトは、前記第２の無線通信ネットワークのサブキャリアグリッドに関連したサブキャリアへの周波数シフト、又は、前記第２の無線通信ネットワークの前記サブキャリアグリッドへの周波数シフトを定める、方法。
【請求項６】
請求項５に記載の方法であって、前記インジケーションは、上りリンク送信への前記第２の周波数シフトの適用を省略することを示す、方法。
【請求項７】
請求項５に記載の方法であって、前記第２の周波数シフトは、前記第１の無線通信ネットワークによって使用される前記第１の周波数シフトに対応している、方法。
【請求項８】
請求項５から７のいずれか１項に記載の方法であって、更に、
前記第２の無線通信ネットワークが周波数分割複信（ＦＤＤ）を使用しているか時分割複信（ＴＤＤ）を使用しているかを判定すること（511）を含む、方法。
【請求項９】
請求項８に記載の方法であって、ＦＤＤが使用されていると判定された場合には前記インジケーションが送信され、ＴＤＤが使用されていると判定された場合にはインジケーションが送信されない、方法。
【請求項１０】
請求項５から９のいずれか１項に記載の方法であって、更に、
前記第２の周波数シフトを判定すること（512）を含む、方法。
【請求項１１】
請求項１０に記載の方法であって、前記第２の周波数シフトは、前記第１の無線通信ネットワーク用の前記サブキャリアグリッドと前記第２の無線通信ネットワーク用の前記サブキャリアグリッドとをアラインさせるように決定されるか、又は、前記第２の無線通信ネットワークのサブキャリアと前記第１の無線通信ネットワークのサブキャリアとをアラインさせるように決定される、方法。
【請求項１２】
第２の無線通信ネットワークにおける無線デバイスのための通信を処理するための当該無線デバイス（10）であって、前記第２の無線通信ネットワークは、同じ周波数帯域幅で第１の無線通信ネットワークと共存するように構成されており、前記第１の無線通信ネットワークは、第１の周波数シフトを上りリンク送信に適用するように構成され、前記無線デバイス（10）は、
前記第２の無線通信ネットワークが周波数分割複信（ＦＤＤ）を使用する場合に、上りリンク送信への第２の周波数シフトの適用を示すインジケーションを、無線ネットワークノード（12,13）から受信することと、
前記第２の周波数シフトを上りリンク送信に適用することと、を行うように構成され、前記第２の周波数シフトは、前記第２の無線通信ネットワークのサブキャリアグリッドに関連したサブキャリアへの周波数シフト、又は、前記第２の無線通信ネットワークの前記サブキャリアグリッドへの周波数シフトを定める、無線デバイス。
【請求項１３】
請求項１２に記載の無線デバイス（10）であって、前記無線デバイスは、前記第２の無線通信ネットワークが時分割複信（ＴＤＤ）を使用する場合に、前記第２の周波数シフトを上りリンク送信に適用することを省略するように構成される、無線デバイス。
【請求項１４】
請求項１２又は１３に記載の無線デバイス（10）であって、前記第２の周波数シフトは、前記第１の無線通信ネットワークによって使用される前記第１の周波数シフトに対応している、無線デバイス。
【請求項１５】
請求項１２又は１３に記載の無線デバイス（10）であって、前記インジケーションは、上りリンク送信への前記第２の周波数シフトの適用を省略することを示す、無線デバイス。
【請求項１６】
第２の無線通信ネットワークにおける無線デバイス（10）のための通信を可能にするための無線ネットワークノード（13）であって、前記第２の無線通信ネットワークは、同じ周波数帯域幅で第１の無線通信ネットワークと共存するように構成されており、前記第１の無線通信ネットワークは、第１の周波数シフトを上りリンク送信において適用するように構成され、前記無線ネットワークノードは、
前記第２の無線通信ネットワークが周波数分割複信（ＦＤＤ）を使用する場合に、上りリンク送信への第２の周波数シフトの適用を示すインジケーションを、前記無線デバイス（10）へ送信するように構成され、前記第２の周波数シフトは、前記第２の無線通信ネットワークのサブキャリアグリッドに関連したサブキャリアへの周波数シフト、又は、前記第２の無線通信ネットワークの前記サブキャリアグリッドへの周波数シフトを定める、無線ネットワークノード。
【請求項１７】
請求項１６に記載の無線ネットワークノード（13）であって、前記インジケーションは、上りリンク送信への前記第２の周波数シフトの適用を省略することを示す、無線ネットワークノード。
【請求項１８】
請求項１６に記載の無線ネットワークノード（13）であって、前記第２の周波数シフトは、前記第１の無線通信ネットワークによって使用される前記第１の周波数シフトに対応している、無線ネットワークノード。
【請求項１９】
請求項１６から１８のいずれか１項に記載の無線ネットワークノード（13）であって、前記無線ネットワークノード（13）は更に、前記第２の無線通信ネットワークが周波数分割複信（ＦＤＤ）を使用しているか時分割複信（ＴＤＤ）を使用しているかを判定するように構成される、無線ネットワークノード。
【請求項２０】
請求項１９に記載の無線ネットワークノード（13）であって、前記無線ネットワークノード（13）は、ＦＤＤが使用される場合に前記インジケーションを送信し、ＴＤＤが使用される場合にインジケーションを送信しないように構成される、無線ネットワークノード。
【請求項２１】
請求項１６から２０のいずれか１項に記載の無線ネットワークノード（13）であって、前記無線ネットワークノードは前記第２の周波数シフトを判定するように構成される、無線ネットワークノード。
【請求項２２】
請求項２１に記載の無線ネットワークノード（13）であって、前記第２の周波数シフトは、前記第１の無線通信ネットワーク用の前記サブキャリアグリッドと前記第２の無線通信ネットワーク用の前記サブキャリアグリッドとをアラインさせるように決定されるか、又は、前記第２の無線通信ネットワークのサブキャリアと前記第１の無線通信ネットワークのサブキャリアとをアラインさせるように決定される、無線ネットワークノード。
【国際調査報告】
2020516144.tif 000015
2020516144.tif 000016